(57)【特許請求の範囲】
【請求項１】
ファクシミリ端子と、信号検出手段と、ファクシミリ受信手段と、パソコン端子と、パソコンインタフェースと、ＤＴＭＦ送出手段と、制御手段とを備えたアダプタ装置であって、
ファクシミリ端子は、Ｇ３型ファクシミリ装置の通信端子に接続され、信号検出手段およびファクシミリ受信手段をＧ３型ファクシミリ装置に接続し、
パソコン端子は、パソコンの通信端子に接続され、ファクシミリ受信手段をパソコンインタフェースを介してパソコンに接続し、
信号検出手段は、Ｇ３型ファクシミリ装置からのオフフック信号およびダイヤル信号を検出し、制御手段に、オフフック信号を検出したことと、検出したダイヤル信号に基づくあて先電話番号とを入力し、
制御手段は、信号検出手段からオフフック信号を検出したこととあて先電話番号が入力された際、ファクシミリ受信手段を起動し、ファクシミリ受信手段よりパソコンにＧ３型ファクシミリ装置からの送信ルーチンが開始されたことを通知するとともに、当該あて先電話番号に基づいてＤＴＭＦ送出手段からダイヤル信号を発生させてファクシミリ受信手段を介してパソコンに当該ダイヤル信号を送信し、
ファクシミリ受信手段は、パソコンによる制御に従ってＧ３型ファクシミリ装置との間でファクシミリ手順を実行し、Ｇ３型ファクシミリ装置から逐次受信するファクシミリ信号を復調してパソコンに逐次送信する
アダプタ装置。
【発明の詳細な説明】
【技術分野】
【０００１】
この発明は、インターネットファクシミリ通信を行うパソコンシステムにＧ３型ファクシミリ装置を利用するためのアダプタ装置に関し、とくに、Ｇ３型ファクシミリ装置から送信相手の電話番号を指定してファクシミリ送信する要領でインターネットファクシミリ送信を行えるようにするアダプタ装置に関する。
【背景技術】
【０００２】
インターネット環境にてパソコンを利用している人々を対象とし、たとえば特開２００３−１４３３６２号公報や特開２００２−７７５０７号公報に記載されているようなインターネットファクシミリ通信サービスが急速に普及してきている。このサービスを利用することで、パソコン上の電子文書を印刷することなくファクシミリ送信したり、相手が送信したファクシミリ文書をパソコンにて受信して閲覧できる。
【０００３】
インターネットファクシミリ通信サービスを現に利用していても、そうでなくても、多くの人々は、かなり以前から普及していたＧ３型ファクシミリ装置に親しんで使い慣れているであろう。Ｇ３型ファクシミリ装置のさまざまな製品が市場に豊富に供給され、きわめて安価で購入しやすいものである。
【０００４】
そのため自宅や仕事場にてＧ３型ファクシミリ装置を利用している人が多い。このような環境下でインターネットファクシミリ通信サービスも利用している人もいるだろうし、これから利用しようとする人もいるであろう。
【発明の開示】
【０００５】
インターネット環境にてパソコンを利用し、かつインターネットファクシミリ通信サービスを利用している人が、手持ちのＧ３型ファクシミリ装置の機能をインターネットファクシミリ通信サービスにも活用できようにすることを目的とし、この発明に係るアダプタ装置が本願発明者らによって創作された。
【０００６】
この発明に係るアダプタ装置は、分説すると、つぎの事項（１）〜（６）により特定されるものである。
（１）ファクシミリ端子と、信号検出手段と、ファクシミリ受信手段と、パソコン端子と、パソコンインタフェースと、ＤＴＭＦ送出手段と、制御手段とを備えたアダプタ装置であること
（２）ファクシミリ端子は、Ｇ３型ファクシミリ装置の通信端子に接続され、信号検出手段およびファクシミリ受信手段をＧ３型ファクシミリ装置に接続すること
（３）パソコン端子は、パソコンの通信端子に接続され、ファクシミリ受信手段をパソコンインタフェースを介してパソコンに接続すること
（４）信号検出手段は、Ｇ３型ファクシミリ装置からのオフフック信号およびダイヤル信号を検出し、制御手段に、オフフック信号を検出したことと、検出したダイヤル信号に基づくあて先電話番号とを入力すること
（５）制御手段は、信号検出手段からオフフック信号を検出したこととあて先電話番号が入力された際、ファクシミリ受信手段を起動し、ファクシミリ受信手段よりパソコンにＧ３型ファクシミリ装置からの送信ルーチンが開始されたことを通知するとともに、当該あて先電話番号に基づいてＤＴＭＦ送出手段からダイヤル信号を発生させてファクシミリ受信手段を介してパソコンに当該ダイヤル信号を送信すること
（６）ファクシミリ受信手段は、パソコンによる制御に従ってＧ３型ファクシミリ装置との間でファクシミリ手順を実行し、Ｇ３型ファクシミリ装置から逐次受信するファクシミリ信号を復調してパソコンに逐次送信すること
【０００７】
インターネットファクシミリ通信サービスを利用するパソコンに、この発明に係るアダプタ装置を介してＧ３型ファクシミリ装置を接続することで、Ｇ３型ファクシミリ装置から送信相手の電話番号を指定してファクシミリ送信する要領でインターネットファクシミリ送信を行うことができる。
【実施例】
【０００８】
この発明に係るアダプタ装置の一実施例の回路構成を図１に示している。このアダプタ装置は、ＲＪ-１１型コネクタからなるファクシミリ端子１と、ＵＳＢコネクタからなるパソコン端子２と、ＲＪ-１１型コネクタからなる電話回線端子３を備えている。ファクシミリ端子１は、Ｇ３型ファクシミリ装置の通信端子に接続される。パソコン端子２は、パソコンのＵＳＢ端子に接続される。電話回線端子３は、電話回線に接続される。
【０００９】
ファクシミリ端子１の内部配線は、フック・ダイヤルパルス検出部４１を介して切替器５が接続されている。本装置の電源がオンの場合、切替器５は、ファクシミリ端子１側の配線を切替器６側に接続する。本装置の電源がオフの場合、切替器５は、ファクシミリ端子１側の配線を電話回線端子３の内部配線に接続する。
【００１０】
呼出信号検出部７は、電話回線端子３に接続され、電話回線からの呼出信号を検出する。擬似回線電圧供給部８は、ファクシミリ端子１側の配線に交換機を擬装するための擬似回線電圧を供給する。
【００１１】
パソコン端子２の内部配線には、ＵＳＢインタフェース９が接続され、パソコンと通信する。ＵＳＢインタフェース９は、ＦＡＸモデムの受信機能部であるファクシミリ受信部１０と接続されている。ファクシミリ受信部１０は、切替器６・トランス１１・切替器５・切替器４を介してファクシミリ端子１の内部配線に接続される（切替器５と６が図示状態から切り替えられた場合）。
【００１２】
ＣＰＵ１２は、本装置を統括するワンチップマイコンである。ファクシミリ端子１に接続されたＧ３型ファクシミリ装置からオフフック信号が入力されると、フック・ダイヤルパルス検出部４１がこれを検出し、検出信号をＣＰＵ１２に供給する。これを受けてＣＰＵ１２は、ファクシミリ受信部１０に起動信号を供給するとともに、切替器５をトランス側へ切り替える。すると、ファクシミリ端子１に入力される信号が切替器５・トランス１１・切替器６を介して信号増幅部１３を介してＤＴＭＦ検出部１４に入力される。
【００１３】
この段階で、Ｇ３型ファクシミリ装置からあて先電話番号のダイヤルパルス信号またはダイヤルトーン信号が入力されてくる。ダイヤルパルス信号の場合は、フック・ダイヤルパルス検出回路４がこれを検出し、検出信号（あて先電話番号）がＣＰＵ１２に供給される。ダイヤルトーン信号の場合は、ＤＴＭＦ検出部１４がこれを検出し、検出信号（あて先電話番号）がＣＰＵ１２に供給される。
【００１４】
ＣＰＵ１２により起動されたファクシミリ受信部１０は、ＵＳＢインタフェース９を介してパソコンと通信し、Ｇ３型ファクシミリ装置からの送信ルーチンが開始されたことを知らせる。これを受けてパソコンはＵＳＢインタフェース９を介してファクシミリ受信部１０の制御と交信を開始する。
【００１５】
あて先電話番号が入力されたＣＰＵ１２は、その電話番号情報をＤＴＭＦ送出部１５に入力し、ＤＴＭＦ信号を送出させる。このＤＴＭＦ信号は、擬似回線電圧供給部１６の電圧に重畳されてファクシミリ受信部１０に入力される。これによって、ＣＰＵ１２からファクシミリ受信部１０にあて先電話番号情報が伝えられる。パソコンと交信するファクシミリ受信部１０は、ＣＰＵ１２から伝えられたあて先電話番号をパソコンに通知する。
【００１６】
つぎにＣＰＵ１２は、切替器６を切り替え、ファクシミリ受信部１０とファクシミリ端子１とを、切替器６・トランス１１・切替器５・切替器４を介して接続させる。これによってパソコンの制御下に入ったファクシミリ受信部１０が受信端末となり、送信端末であるファクシミリ端子１に接続されたＧ３型ファクシミリ装置とが回線接続され、ファクシミリ送受信に先立つファクシミリ手順が実行され、そのプロセスを経てＧ３型ファクシミリ装置から送信文書のファクシミリ信号が逐次出力され、これをファクシミリ受信部１０が順次受信して復調し、復調したファクシミリ信号はＵＳＢインタフェース９を介してパソコンに順次とりこまれる。
【００１７】
つまり、Ｇ３型ファクシミリ装置は、パソコンに制御されるファクシミリ受信部１０があて先電話番号に該当するファクシミリ装置であると誤解して送信動作を行う。Ｇ３型ファクシミリ装置からの送信動作が終了すると、ファクシミリ受信部１０は電話回線に接続されたファクシミリ装置と同様に振る舞って一連の送受信シーケンスを終了させる。ＣＰＵ１２は、送受信シーケンスが終了すると、切替器４・５・６を図示の状態に復旧させる。
【００１８】
パソコンは、上記のプロセスの最初に入力されたあて先電話番号と、引き続いて入力された送信文書のファクシミリ信号とを対応付けて処理し、周知のインターネットファクシミリ通信サービスを利用してインターネットに送り出される。つまり、送信文書の画像データが適宜な形式のデジタルデータに変換され、あて先電話番号に対応するメールアドレス宛ての電子メールに画像データを添付して送信する。
【００１９】
電話回線端子３に有効な電話回線が接続されている場合、電話回線側から呼出信号が来ることがある。本装置の電源の電源がオフであれば、電話回線端子３が切替器４を介してファクシミリ端子１に接続されているので、ファクシミリ端子１に接続されているＧ３型ファクシミリ装置が呼出信号に応答することになる。本装置の電源がオンである場合、電話回線からの呼出信号が呼出信号検出部７で検出され、検出信号がＣＰＵ１２に供給される。これを受けてＣＰＵ１２は、切替器４を切り替えさせ、電話回線端子３とファクシミリ端子１とを接続させる。これで、ファクシミリ端子１に接続されているＧ３型ファクシミリ装置が呼出信号に応答することになる。
【図面の簡単な説明】
【００２０】
【図１】この発明に係るアダプタ装置の一実施例の構成図である。
【符号の説明】
【００２１】
１    ファクシミリ端子
２    パソコン端子
３    電話回線端子
１２  ＣＰＵ
【図１】
0004423245.tif 000002